【事件の表示】
　特願２０１５−４１２２２号「遊技機」拒絶査定不服審判事件〔平成２８年９月５日出願公開、特開２０１６−１５８９１８号〕について、次のとおり審決する。
【結　論】
　本件審判の請求は、成り立たない。
【理　由】
第１　手続の経緯
　本願は、平成２７年３月３日の出願であって、平成３０年１０月１９日付けで拒絶の理由が通知され、同年１２月１０日に意見書及び手続補正書が提出されたところ、令和１年５月２８日付け（送達日：同年６月４日）で拒絶査定がなされ、それに対して、同年７月１２日に拒絶査定不服審判の請求がなされると同時に手続補正書が提出され、これに対し、当審において、令和２年１月１５日付けで拒絶の理由が通知され、同年２月２５日に意見書及び手続補正書が提出され、これに対し、同年５月１９日付けで最後の拒絶の理由が通知され、同年６月１５日に意見書及び手続補正書が提出されたものである。
第２　令和２年６月１５日提出の手続補正書による補正の却下の決定
［補正の却下の決定の結論］
　令和２年６月１５日提出の手続補正書による補正（以下、「本件補正」という。）を却下する。
［理由］
１　補正の内容
　本件補正は、本件補正前の特許請求の範囲、すなわち令和２年２月２５日に提出された手続補正書により補正された特許請求の範囲の請求項１の記載を、以下のとおり、補正後の特許請求の範囲の請求項１のものに補正するものである（下線は補正箇所を示す。）。
（補正前）
「【請求項１】
　遊技球が流下する遊技領域に設けられ、遊技球が入球可能な始動領域と、
　前記始動領域への遊技球の入球により判定情報を取得する判定情報取得手段と、
　前記判定情報取得手段により取得された前記判定情報に基づいて、前記遊技領域の下方位置に設けられた特別可変入賞装置が所定の態様で開閉する特別遊技を行うか否かを判定する特別遊技判定手段と、
　前記始動領域への遊技球の入球が不可能若しくは困難な第１の態様、およびこの第１の態様よりも遊技球の入球が容易な第２の態様に変位する可変入賞装置と、
　前記遊技領域に設けられ、遊技球が通過可能な普通始動領域と、
　前記普通始動領域への遊技球の通過により普通判定情報を取得する普通判定情報取得手段と、
　前記普通判定情報取得手段により取得された前記普通判定情報に基づいて、前記可変入賞装置を前記第１の態様から前記第２の態様に変位させる普通遊技を行うか否かを判定する普通判定手段と、を備え、
　前記特別可変入賞装置は前記可変入賞装置に近接して設けられ、
　前記普通判定手段による判定の結果に応じ、１回の前記普通遊技が行われている間に、前記特別遊技を複数回行うことが可能な構成としたことを特徴とする遊技機。」
（補正後）
「【請求項１】
　遊技球が流下する遊技領域に設けられ、遊技球が入球可能な
複数の
　前記始動領域への遊技球の入球により判定情報を取得する判定情報取得手段と、
　前記判定情報取得手段により取得された前記判定情報に基づいて、前記遊技領域の下方位置に設けられた
１つの
　前記
複数の
のうち、一方
　前記遊技領域に設けられ、遊技球が通過可能な普通始動領域と、
前記普通始動領域への遊技球の通過により普通判定情報を取得する普通判定情報取得手段と、
　前記普通判定情報取得手段により取得された前記普通判定情報に基づいて、前記可変入賞装置を前記第１の態様から前記第２の態様に変位させる普通遊技を行うか否かを判定する普通判定手段と、を備え、
　前記特別可変入賞装置は前記可変入賞装置に近接して設けられ、
　前記普通判定手段による判定の結果に応じ、１回の前記普通遊技が行われている間に、前記特別遊技を複数回行うことが可能な構成としたことを特徴とする遊技機。」
２　補正の適否
（１）　特許法第１７条の２第５項に関する要件について
ア　補正の目的について
　本件補正は、本件補正前の請求項１における「遊技球が入球可能な始動領域」を「遊技球が入球可能な
複数の
１つの
複数の
のうち、一方
　上記補正は、実質的に「始動領域」が「複数」である点、「特別可変入賞装置」が「一つ」である点、及び、「可変入賞装置」が「遊技球の入球が不可能若しくは困難な第１の態様、およびこの第１の態様よりも遊技球の入球が容易な第２の態様に変位する」ことによって「遊技球の入球」の困難さ又は容易さが変化する始動領域が「前記複数の始動領域のうち、一方」である点を限定するものであるから、本件補正前の請求項１に記載した発明を特定するために必要な事項を限定するものであって、特許請求の範囲の減縮を目的とするものである。
　また、本件補正前の請求項１に係る発明と本件補正後の請求項１に係る発明を対比すると、両者は産業上の利用分野及び解決しようとする課題が同一であると認められる。
イ　新規事項の有無について
　本願の願書に最初に添付した明細書、特許請求の範囲又は図面（以下、「当初明細書等」という。）の段落【００２３】には、「・・・遊技領域１５内には、・・・第１始動入賞口（始動口）２４および第２始動入賞口（始動口）２６・・・等が設けられている。・・・」との記載があり、段落【００２４】には「・・・第２始動入賞口２６はスライド式の可動片２６ｂを有しており、始動入賞口開閉ソレノイド２６ｃ（図５参照）に通電がなされると可動片２６ｂが遊技盤１４の前面側へ突出した位置に移動する。このとき遊技盤１４の前面側に突出した可動片２６ｂは、遊技領域１５の上流側から流下してくる遊技球を受け止めて、第２始動入賞口２６に遊技球を案内する。・・・」との記載がある。そして、図４には、蓋部材７０ｂや大入賞口７１等から構成される１つのアタッカー装置７０が遊技領域１５の下方に設けられていることが開示されている。
　したがって、本件補正は、当初明細書等に記載の範囲内のものといえる。
ウ　小括
　よって、本件補正は、上記アより、特許法第１７条の２第５項第２号に掲げる特許請求の範囲の減縮を目的とするものに該当する。
　そして、本件補正は、上記イにおいて検討したように、新規事項を追加するものではないから、特許法第１７条の２第３項に規定する要件を満たす。
　そこで、本件補正後の請求項１に係る発明（以下、「本願補正発明」という。）が特許出願の際独立して特許を受けることができるものであるか（特許法第１７条の２第６項において準用する同法第１２６条第７項の規定に適合するか）について、以下に検討する。
（２）　独立特許要件について
（２−１）　本願補正発明
　本願補正発明は、令和２年６月１５日に提出された手続補正書により補正された特許請求の範囲の請求項１に記載の事項により特定されるとおりのもの（上記１の（補正後）の記載を参照。）であり、分説しＡないしＪの符号を付与すると、次のとおりのものである。
「【請求項１】
Ａ　遊技球が流下する遊技領域に設けられ、遊技球が入球可能な複数の始動領域と、
Ｂ　前記始動領域への遊技球の入球により判定情報を取得する判定情報取得手段と、
Ｃ　前記判定情報取得手段により取得された前記判定情報に基づいて、前記遊技領域の下方位置に設けられた１つの特別可変入賞装置が所定の態様で開閉する特別遊技を行うか否かを判定する特別遊技判定手段と、
Ｄ　前記複数の始動領域のうち、一方への遊技球の入球が不可能若しくは困難な第１の態様、およびこの第１の態様よりも遊技球の入球が容易な第２の態様に変位する可変入賞装置と、
Ｅ　前記遊技領域に設けられ、遊技球が通過可能な普通始動領域と、
Ｆ　前記普通始動領域への遊技球の通過により普通判定情報を取得する普通判定情報取得手段と、
Ｇ　前記普通判定情報取得手段により取得された前記普通判定情報に基づいて、前記可変入賞装置を前記第１の態様から前記第２の態様に変位させる普通遊技を行うか否かを判定する普通判定手段と、を備え、
Ｈ　前記特別可変入賞装置は前記可変入賞装置に近接して設けられ、
Ｉ　前記普通判定手段による判定の結果に応じ、１回の前記普通遊技が行われている間に、前記特別遊技を複数回行うことが可能な構成とした
Ｊ　ことを特徴とする遊技機。」
（２−２）　引用文献とそれに記載された事項
ア　引用文献１
（ア）　引用文献１に記載された事項
　当審における令和２年５月１９日付けの拒絶理由に引用され、本願の出願前に頒布され又は電気通信回線を通じて公衆に利用可能となった特開２０１４−６８７２９号公報（以下、「引用文献１」という。）には、以下の記載がある（下線は引用発明等の認定に関連する箇所を明示するために合議体が付した。以下同様。）。
引１−ア
「【０００１】
　本発明は、遊技球が転動可能な遊技盤の遊技領域において遊技球の入球又は通過を可能とする入球装置を備えた
遊技機
引１−イ
「【図面の簡単な説明】
【００１４】
・・・
【図２】遊技盤の表面を示す正面図。
・・・
【００１６】
　図１には、遊技に関する制御を行う
パチンコ遊技機１０
引１−ウ
「【００２４】
　次に、遊技盤ＹＢの構成について図２を参照して詳しく説明する。
　図２に示すように、遊技盤ＹＢの前面には、発射ハンドル２４の操作によって発射された遊技球を誘導し、かつパチンコ遊技の主体となるほぼ円形の遊技領域Ｈ１を形成する誘導レール３０が円形渦巻き状に敷設されている。この誘導レール３０によって
遊技盤ＹＢには、
遊技球が転動可能な遊技領域Ｈ１が形成される。
【００２５】
　
遊技盤ＹＢのほぼ中央には、
演出表示装置３３が配設され
引１−エ
「【００３６】
　また、本実施形態において、第１変動ゲームと第２変動ゲームとが同時に実行されないように構成されており、
変動ゲーム
第１変動ゲーム又は第２変動ゲーム
変動ゲームと普図ゲームとは同時に実行可能
【００３７】
　
演出表示装置３３の下方には、遊技球の第１入賞口３７ａを有する第１始動入賞口３７が配設され
第１始動入賞口３７は、入賞した遊技球を第１始動口スイッチＳＷ１で検知することにより、第１変動ゲームの始動条件
を付与し得る。
【００３８】
　また、
演出表示装置３３の右下には、遊技球の第２入賞口３８ａを有する第２始動入賞口３８が配設され
第２始動入賞口３８は
開閉扉３８ｂを備え
第２始動入賞口３８は、開閉扉３８ｂの開動作により第２入賞口３８ａが開放されることで遊技球の入賞が許容され
第２始動入賞口３８は、入賞した遊技球を第２始動口スイッチＳＷ２で検知することにより、変動ゲームの始動条件
を付与し得る。
【００３９】
　また、
第２始動入賞口３８の上には、作動ゲート３９が配設されている。
作動ゲート３９は、通過した遊技球をゲートスイッチＳＷ５で検知することにより、普図ゲームの始動条件を付与し得る。
第２始動入賞口３８の開閉扉３８ｂを開状態とするか否かの抽選結果を導出するために行われる
普通当り抽選に当選すると、開閉扉３８ｂの開放によって第２始動入賞口３８に遊技球を入賞させ易くなり、
【００４０】
　また、
第２始動入賞口３８の下方には、
第１大入賞口４０が配設され
【００４１】
　また、作動ゲート３９の左方には、第２大入賞口ソレノイドＳＯＬ３（図４に示す）の作動により開閉動作を行う
第２大入賞口羽根４１ａを備えた第２大入賞口４１が配設され
引１−オ
「【００４４】
　また、本実施形態において、第１変動ゲームにおいて小当り抽選に当選することはないが、
第２変動ゲームにおいて
小当りに当選し、
小当り遊技が開始されると、
第２大入賞口４１が開放され
【００４５】
　また、本実施形態のパチンコ遊技機では、大当り遊技の終了後には、変動短縮状態（以下、「
変短状態
非変短状態と比較して、変動ゲームの変動時間が短縮される
変短状態で普通当り抽選に当選する場合には、開閉扉３８ｂが長開放
変短状態では、非変短状態と比較して、１回の普通当りに対応する合計開放時間が長く、遊技者にとって有利に動作するように設定されて
引１−カ
「【００４９】
　なお、本実施形態におけるパチンコ遊技機での仕様は以下の通りである。飾図としては［１］〜［８］の８種類の数字が採用されており、大当り図柄としては［１１１］［２２２］［３３３］［４４４］［５５５］［６６６］［７７７］［８８８］が採用されている。また、大当りの当選確率としては、第１変動ゲームと第２変動ゲームとの両方で同じ１６５／６５５３６が規定されている。また、小当りの当選確率としては、第２変動ゲームにおいて、非変短状態であるか変短状態であるかに拘わらず、６５３７１／６５５３６が規定されており、第１変動ゲームでは小当りに当選しない。普通当りの当選確率としては、非変短状態であるか変短状態であるかに拘わらず、６５２６２／６５５３６が規定されている。
【００５０】
　また、遊技球の賞球数としては、第１始動入賞口３７及び
第２始動入賞口３８に
開閉扉３８ｂの長開放としては、開閉扉３８ｂが３回開放し、開放してから１．７ｓ経過するまで開放状態を維持する態様が
規定され
普図ゲームの変動時間としては、
変短状態で１．５ｓが
規定され
小当り遊技中では、第２大入賞口４１の開放回数として「１回」が、開放時間として「１．６ｓ」が
それぞれ設定され
引１−キ
「【００５３】
　変短状態においては、右打ちにより、作動ゲート３９に遊技球を通過させ、それに伴って開放させた第２始動入賞口３８に遊技球を入賞させることで、第２変動ゲームにおいて当りに当選させるようなパチンコ遊技が行われる（１６５／６５５３６の大当り当選確率、６５３７１／６５５３６の小当り当選確率）。なお、この場合、極めて高い確率で小当りに当選することとなり、ほぼ毎変動ゲームで小当りに当選し、大当りに当選することは稀となる。第２変動ゲームにおいて小当りに当選した場合には、
第２大入賞口４１が開放可能となる小当り遊技が付与され、
引１−ク
「【００５６】
　また、パチンコ遊技機１０の機裏側には、
主制御基板５４
【００５７】
　
主制御基板５４は、遊技の進行を制御する第１制御手段（制御手段）として機能し、
【００５８】
　本実施形態のパチンコ遊技機１０では、機種毎に専用部品となる
主制御基板５４を遊技盤ＹＢに装着し、
引１−ケ
「【００７５】
　
主制御基板５４には、
る主制御用ＣＰＵ
５４ａ
が設けられ
引１−コ
「【０１０８】
　特別図柄入力処理について以下に説明する。
　最初に、
主制御用ＣＰＵ５４ａは、第１始動口スイッチＳＷ１から検知信号を入力しているか否かに基づいて、第１始動入賞口３７に遊技球が入賞したか否かを判定
この判定結果が肯定の場合、
主制御用ＣＰＵ５４ａは、
当り判定用乱数の値
を
取得し
【０１０９】
　その一方で、第１始動入賞口３７に遊技球が入賞しない場合、又は第１始動入賞口３７に遊技球が入賞したが第１保留記憶数が「４」未満でない場合、
主制御用ＣＰＵ５４ａは、第２始動口スイッチＳＷ２から検知信号を入力しているか否かに基づいて、第２始動入賞口３８に遊技球が入賞したか否かを判定
この判定結果が肯定の場合
主制御用ＣＰＵ５４ａは、
当り判定用乱数の値
を
取得し、
引１−サ
「【０１１９】
　その一方で、第２大当り判定処理において、主制御用ＣＰＵ５４ａは、第２保留記憶数に対応付けられて主制御用ＲＷＭ５４ｃの所定の記憶領域に記憶されている当り判定用乱数の値を読み出す。続いて、
主制御用ＣＰＵ５４ａは、第２保留記憶数に対応付けられた当り判定用乱数の値と大当り判定値を比較し、両値が一致するか否かの大当り判定をする。
【０１２０】
　
この大当り判定の判定結果が肯定の場合、
大当りとなる変動ゲームを実行させ
【０１２１】
　その一方で、
上記大当り判定の判定結果が否定の場合、主制御用ＣＰＵ５４ａは、当り判定用乱数の値と小当り判定値を比較し、両値が一致するか否かの小当り判定をする。
　
この小当り判定の判定結果が肯定の場合、
引１−シ
「【０１３２】
　次に、普図ゲームに関する普通図柄入力処理について以下に説明する。
　普通図柄入力処理において、
主制御用ＣＰＵ５４ａは、遊技球が作動ゲート３９を通過したと判定した場合、
普通当り判定用乱数の値を
読み出して取得し、
【０１３３】
　次に、主制御用ＣＰＵ５４ａは、以下のような処理を所定の制御周期（本実施形態では、４ｍｓ）毎に実行する。主制御用ＣＰＵ５４ａは、まず、普図が変動表示中又は普通当り遊技中ではない場合において、読み出した普図保留記憶数が「０」よりも大きいときには、普図保留記憶数の数を「１」減算し、当該普図保留記憶数に対応付けられて主制御用ＲＷＭ５４ｃの所定の記憶領域に記憶されている普通当り判定用乱数の値を取得する。そして、
主制御用ＣＰＵ５４ａは、取得した普通当り判定用乱数の値が
普通当り判定値と一致するか否かを判定して普通当り判定を行い、
【０１３４】
　そして、主制御用ＣＰＵ５４ａは、
普通当りを決定した場合、
開閉扉３８ｂを開放させるよう
制御する。
引１−ス
「【０１８１】
　・上記実施形態において、カードユニット装置１１を接続しないパチンコ遊技機に本発明を提供してもよい。
　
・上記実施形態において、２つの大入賞口４０，４１を備えたが、これに限らず、１つ又は３つ以上の大入賞口を備えてもよい。
引１−セ
「【図２】
」
（イ）　引用文献１の記載より認定できる事項
　図２は「遊技盤の表側を示す正面図」（【００１４】）であり、図２には、第１始動入賞口３７、第２始動入賞口３８、作動ゲート３９、第１大入賞口４０、及び、第２大入賞口４１の遊技盤における配置が記載されている。
　そして、第１大入賞口４０及び第２大入賞口４１は、遊技領域Ｈ１の下方位置に設けられた点が見て取れ、また、第１入賞口４０及び第２大入賞口４１が、第２始動入賞口３８に近接して設けられた点も見て取れる。
（ウ）　引用発明１
　よって、引用文献１には、以下の発明（以下、「引用発明１」という。）が記載されている。ａないしｊの符号は、本願発明の構成ＡないしＪに対応させて合議体により付与した。
「ａ　遊技球が転動可能な遊技領域Ｈ１が形成された遊技盤ＹＢのほぼ中央には演出表示装置３３が配設され（【００２４】、【００２５】）、演出表示装置３３の下方には、遊技球の第１入賞口３７ａを有する第１始動入賞口３７が配設され（【００３７】）、演出表示装置３３の右下には、遊技球の第２入賞口３８ａを有する第２始動入賞口３８が配置され（【００３８】）、
ｂ　遊技の進行を制御する制御手段として機能する主制御基板５４が遊技盤ＹＢに装着され（【００５６】−【００５８】）、主制御基板５４には主制御用ＣＰＵ５４ａが設けられ（【００７５】）、第１始動入賞口３７は、入賞した遊技球を第１始動口スイッチＳＷ１で検知することにより、第１変動ゲームの始動条件を付与し得るものであり（【００３７】）、第２始動入賞口３８は、入賞した遊技球を第２始動入賞口スイッチＳＷ２で検知することにより第２変動ゲームの始動条件を付与し得るものであり（【００３８】）、主制御用ＣＰＵ５４ａは、第１始動口スイッチＳＷ１から検知信号を入力しているか否かに基づいて、第１始動入賞口３７に遊技球が入賞したか否かを判定し、この判定結果が肯定の場合、当り判定用乱数の値を取得し（【０１０８】）、主制御用ＣＰＵ５４ａは、第２始動口スイッチＳＷ２から検知信号を入力しているか否かに基づいて、第２始動入賞口３８に遊技球が入賞したか否かを判定し、この判定結果が肯定の場合、当り判定用乱数の値を取得し（【０１０９】）、
ｃ　遊技領域Ｈ１の下方位置には、第１大入賞口４０及び第２大入賞口４１が配設され（【００４０】、【００４１】、（イ））、主制御用ＣＰＵ５４ａは、第２保留記憶数に対応付けられた当り判定用乱数の値と大当り判定値を比較し、両値が一致するか否かの大当り判定をし（【０１１９】）、この大当り判定の判定結果が肯定の場合、大当りとなる第２変動ゲームを実行させ（【０１２０】）、この大当り判定の判定結果が否定の場合、主制御用ＣＰＵ５４ａは、当り判定用乱数の値と小当り判定値とを比較し、両値が一致するか否かの小当り判定をし、この小当り判定の判定結果が肯定の場合（【０１２１】）、遊技領域Ｈ１の下方位置に設けられた第２大入賞口４１が開放可能となる小当り遊技が付与され（【００５３】、（イ））、
ｄ　第２始動入賞口３８は、開閉扉３８ｂを備え、開閉扉３８ｂの開動作により第２入賞口３８ａが開放されることで遊技球の入球が許容され（【００３８】）、
ｅ　第２始動入賞口３８の上には、作動ゲート３９が配設され（【００３９】）、
ｆ　作動ゲート３９は、通過した遊技球をゲートスイッチＳＷ５で検知することにより、普図ゲームの始動条件を付与し得るものであり（【００３９】）、主制御用ＣＰＵ５４ａは、遊技球が作動ゲート３９を通過したと判定した場合、普通当り判定用乱数の値を取得し（【０１３２】）、
ｇ　主制御用ＣＰＵ５４ａは、取得した普通当り判定用乱数の値が普通当り判定値と一致するか否かを判定して普通当り判定を行い（【０１３３】）、普通当りを決定した場合、開閉扉３８ｂを開放させるように制御し（【０１３４】）、
ｈ　第１大入賞口４０及び第２大入賞口４１は、第２始動入賞口３８に近接して設けられ（（イ））、
ｉ　第１変動ゲーム又は第２変動ゲームと普図ゲームとは同時に実行可能であり（【００３６】）、第１変動ゲーム又は第２変動ゲームの変動時間が短縮される変短状態と、非変短状態があり（【００３６】、【００４５】）、変短状態で普通当り抽選に当選する場合には、開閉扉３８ｂが長開放し、非変短状態と比較して、１回の普通当りに対応する合計開放時間が長く、遊技者にとって有利に動作するように設定されており（【００４５】）、変短状態では、普図ゲームの変動時間としては１．５ｓが規定され、開閉扉３８ｂの長開放としては、第２始動入賞口３８の開閉扉３８ｂが３回開放し、開放してから１．７ｓ経過するまで開放状態を維持する態様が規定され（【００４５】、【００４９】、【００５０】）、第２変動ゲームにおいて、小当りに当選し、小当り遊技が開始されると、第２大入賞口４１が開放され（【００４４】）、小当り遊技中では第２大入賞口４１の開放回数として「１回」が、開放時間として「１．６ｓ」がそれぞれ設定された態様がある（【００５０】）
ｊ　パチンコ遊技機１０（【００１６】）。」
イ　引用文献２
（ア）　引用文献２に記載された事項
　当審における令和２年５月１９日付けの拒絶理由に引用され、本願の出願前に頒布され又は電気通信回線を通じて公衆に利用可能となった特開２０１５−２００１９号公報（以下、「引用文献２」という。）には、以下の記載がある。
引２−ア
「【００１３】
［パチンコ遊技機１の概略構成例］
　まず、図１及び図２を参照しつつ、
パチンコ遊技機１
引２−イ
「【００７６】
　ここで、図８に示すように、
普通図柄判定の結果には短開放当たりと、長開放当たりと、ハズレとがあ
【００７７】
　また、短開放当たりになった場合には、電動チューリップ１７は０．１秒間だけ開姿勢に変化されて、第２始動口１２は短開放される。
長開放当たりになった場合には、電動チューリップ１７は０．１秒間だけ開姿勢に変化された後、さらに５．８秒間だけ開姿勢に変化されて、第２始動口１２は長開放され
引２−ウ
「【００８６】
　このように、
第２特別図柄の変動時間は０．５秒と短いため、小当たり遊技終了後すぐに次の小当たり遊技が行われ
【００８７】
　なお、第２特別図柄の変動時間が０．５秒であり、第２特別図柄の変動に基づく小当たり遊技の時間は、０．６秒×２回＝１．２秒である。第２特別図柄の停止時間（例えば、０．５秒）を含めると、
第２特別図柄の変動から次の第２特別図柄の変動までの期間は、約２．２秒程度とな
普通図柄判定において長開放当たりとなった場合の第２始動口１２の開放時間は約５．８秒（＞特２変動時間＋小当たり遊技の時間）であるため、この期間に、第２特別図柄の変動および小当たり遊技が、１回〜２回行われることが可能である
【００８８】
　以上のように、本実施形態のパチンコ遊技機１では、第２始動口１２を長開放（複数の遊技球が入球可能なように開放。例えば、３〜６秒の間）することにより、小当たり遊技を連続的に発生させることができる。これにより、Ｖ入賞口５３に遊技球が入賞する機会が増え、遊技者に有利な状態にすることができる。」
（イ）　引用文献２記載事項
　上記した記載事項に基づくと、引用文献２には、以下の事項（以下、「引用文献２記載事項」という。）が記載されていると認められる。
「普通図柄判定の結果には短開放当たりと、長開放当たりと、ハズレとがあり、長開放当たりになった場合には、電動チューリップ１７は０．１秒間だけ開姿勢に変化された後、さらに５．８秒間だけ開姿勢に変化されて、第２始動口１２は長開放され（【００７６】、【００７７】）、第２特別図柄の変動時間は０．５秒と短いため、小当たり遊技終了後すぐに次の小当たり遊技が行われ（【００８６】）、第２特別図柄の変動から次の第２特別図柄の変動までの期間は、約２．２秒程度となり、普通図柄判定において長開放当たりとなった場合の第２始動口１２の開放時間は約５．８秒（＞特２変動時間＋小当たり遊技の時間）であるため、この期間に、第２特別図柄の変動および小当たり遊技が、１回〜２回行われることが可能である（【００８７】）パチンコ遊技機１（【００１３】）。」
（２−３）　本願補正発明と引用発明１との対比
　本願補正発明と引用発明１とを対比する。
ア　本願補正発明の構成Ａについて
（ア）引用発明１の構成ａにおける「遊技球が転動可能な遊技領域Ｈ１」は、本願補正発明の「遊技球が流下する遊技領域」に相当する。
（イ）引用発明１の構成ａにおける「第１始動入賞口３７」及び「第２始動入賞口３８」は、いずれも本願補正発明の「始動領域」に相当する。そして、それらが「遊技領域Ｈ１」に設けられていることは当業者にとって明らかである。
（ウ）したがって、引用発明１の構成ａにおける「遊技球が転動可能な遊技領域Ｈ１」に設けられた「第１始動入賞口３７」及び「第２始動入賞口３８」は、本願補正発明の「遊技球が流下する遊技領域に設けられ、遊技球が入球可能な複数の始動領域」に相当する。
（エ）よって、引用発明１は、本願補正発明の構成Ａに相当する構成を有する。
イ　本願補正発明の構成Ｂについて
（ア）引用発明１の構成ｂにおける「主制御基板５４」に「設けられ」た「主制御用ＣＰＵ５４ａ」は、「第１始動口スイッチＳＷ１から検知信号を入力しているか否かに基づいて、第１始動入賞口３７に遊技球が入賞したか否かを判定し、この判定結果が肯定の場合、当り判定用乱数の値を取得」し、また「第２始動口スイッチＳＷ２から検知信号を入力しているか否かに基づいて、第２始動入賞口３８に遊技球が入賞したか否かを判定し、この判定結果が肯定の場合、当り判定用乱数の値を取得」するものであり、ここにおいて、引用発明１の「当り判定用乱数の値」は、本願補正発明の「判定情報」に相当し、引用発明１の「第１始動入賞口３７に遊技球が入賞したか否かを判定し、この判定結果が肯定の場合」又は「第２始動入賞口３８に遊技球が入賞したか否かを判定し、この判定結果が肯定の場合」は、本願補正発明の「前記始動領域への遊技球の入球」に相当する。
（イ）したがって、引用発明１の構成ｂにおける「第１始動口スイッチＳＷ１から検知信号を入力しているか否かに基づいて、第１始動入賞口３７に遊技球が入賞したか否かを判定し、この判定結果が肯定の場合、当り判定用乱数の値を取得」し、また「第２始動口スイッチＳＷ２から検知信号を入力しているか否かに基づいて、第２始動入賞口３８に遊技球が入賞したか否かを判定し、この判定結果が肯定の場合、当り判定用乱数の値を取得」する「主制御用ＣＰＵ５４ａ」は、本願補正発明の「前記始動領域への遊技球の入球により判定情報を取得する判定情報取得手段」としての機能を有する。
（ウ）よって、引用発明１は、本願補正発明の構成Ｂに相当する構成を有する。
ウ　本願補正発明の構成Ｃについて
（ア）引用発明１の構成ｃにおける「遊技領域Ｈ１の下方位置に設けられた第２大入賞口４１」と本願補正発明の「前記遊技領域の下方位置に設けられた１つの特別可変入賞装置」とは、「前記遊技領域の下方位置に設けられた」「特別可変入賞装置」である点で一致する。
（イ）引用発明１の構成ｃにおける「小当り遊技」は、「第２大入賞口４１」が「開放可能」となる遊技であるから、本願補正発明の「特別可変入賞装置が所定の態様で開閉する特別遊技」に相当する。
（ウ）引用発明１の構成ｃにおける「当り判定用乱数の値と小当り判定値とを比較し、両値が一致するか否かの小当り判定をし」、「この小当り判定の判定結果が肯定の場合」、「遊技領域Ｈ１の下方位置に設けられた第２大入賞口４１が開放可能となる小当り遊技が付与され」ることは、「当り判定用乱数の値」に基づいて「小当り遊技が付与され」るか否かが判定されていることから、本願補正発明の「前記判定情報取得手段により取得された前記判定情報に基づいて、前記遊技領域の下方位置に設けられた」「特別可変入賞装置が所定の態様で開閉する特別遊技を行うか否かを判定する」ことに相当する。
（エ）引用発明１の構成ｃにおける「大当り判定」及び「小当り判定」をする「主制御用ＣＰＵ５４ａ」は、本願補正発明の「特別遊技を行うか否かを判定する特別遊技判定手段」としての機能を有する。
（オ）よって、本願補正発明と引用発明１とは、「前記判定情報取得手段により取得された前記判定情報に基づいて、前記遊技領域の下方位置に設けられた」「特別可変入賞装置が所定の態様で開閉する特別遊技を行うか否かを判定する特別遊技判定手段」を有する点で一致する。
エ　本願補正発明の構成Ｄについて
（ア）引用発明１の構成ｄにおける「第２始動入賞口３８」は、本願補正発明の「前記複数の始動領域のうち」の「一方」に相当する。
（イ）引用発明１の構成ｄにおける「第２始動入賞口３８」が「備え」る「開閉扉３８ｂの開動作により第２入賞口３８ａが開放されること」は、「遊技球の入球が許容され」る態様であるから、引用発明１において、「第２入賞口３８ａが開放され」ない態様は、本願補正発明の「遊技球の入球が不可能若しくは困難な第１の態様」に相当し、引用発明１における「開閉扉３８ｂの開動作により第２入賞口３８ａが開放される」態様は、本願補正発明の「この第１の態様よりも遊技球の入球が容易な第２の態様」に相当する。
（ウ）したがって、引用発明１の構成ｄにおける「開動作により」「第２始動入賞口３８」が有する「第２入賞口３８ａが開放されることで遊技球の入球が許容され」る「開閉扉３８ｂ」は、本願補正発明の「前記複数の始動領域のうち、一方への遊技球の入球が不可能若しくは困難な第１の態様、およびこの第１の態様よりも遊技球の入球が容易な第２の態様に変位する可変入賞装置」に相当する。
（エ）よって、引用発明１は、本願補正発明の構成Ｄに相当する構成を有する。
オ　本願補正発明の構成Ｅについて
（ア）引用発明１の構成ｅにおける「第２始動入賞口３８の上」に「配設され」た「作動ゲート３９」は、「遊技領域Ｈ１」に設けられたものであり、構成ｆより、遊技球が通過可能なものであることは明らかである。
（イ）したがって、引用発明１の構成ｅにおける「作動ゲート３９」は、本願補正発明の「前記遊技領域に設けられ、遊技球が通過可能な普通始動領域」に相当する。
（ウ）よって、引用発明１は、本願補正発明の構成Ｅに相当する構成を有する。
カ　本願補正発明の構成Ｆついて
（ア）引用発明１の構成ｆにおける「普通当り判定用乱数の値」は、本願補正発明の「普通判定情報」に相当する。
（イ）引用発明１の構成ｆにおける「遊技球が作動ゲート３９を通過したと判定した場合、普通当り判定用乱数の値を取得」する「主制御用ＣＰＵ５４ａ」は、本願補正発明の「前記普通始動領域への遊技球の通過により普通判定情報を取得する普通判定情報取得手段」としての機能を有する。
（ウ）したがって、引用発明１は、本願補正発明の構成Ｆに相当する構成を有する。
キ　本願補正発明の構成Ｇについて
（ア）引用発明１の構成ｇにおける「取得した普通当り判定用乱数の値が普通当り判定値と一致するか否かを判定して普通当り判定を行」うことは、本願補正発明の「取得された前記普通判定情報に基づいて」「普通遊技を行うか否かを判定する」ことに相当する。
（イ）引用発明１の構成ｇにおける「開閉扉３８ｂを開放させるように制御」することは、本願補正発明の「前記可変入賞装置を前記第１の態様から前記第２の態様に変位させる」ことに相当する。
（ウ）引用発明１の構成ｇにおける「取得した普通当り判定用乱数の値が普通当り判定値と一致するか否かを判定して普通当り判定を行」う「主制御用ＣＰＵ５４ａ」は、本願補正発明の「普通遊技を行うか否かを判定する普通判定手段」としての機能を有する。
（エ）したがって、引用発明１は、本願補正発明の構成Ｇに相当する構成を有する。
ク　本願補正発明の構成Ｈについて
（ア）引用発明の構成ｈにおける「第２大入賞口４１は、第２始動入賞口３８に近接して設けられ」たことは、本願補正発明の「前記特別可変入賞装置は前記可変入賞装置に近接して設けられ」たことに相当する。
（イ）したがって、引用発明１は、本願補正発明の構成Ｈに相当する構成を有する。
ケ　本願補正発明の構成Ｉについて
（ア）引用発明１の構成ｉの「第２始動入賞口３８の開閉扉３８ｂが３回開放し、」「開放状態を維持」される「開放してから１．７ｓ経過するまで」の時間と、本願補正発明の構成Ｉの「前記普通判定手段による判定の結果に応じ、１回の前記普通遊技が行われている間」とは、「前記普通判定手段による判定の結果に応じ、１回の前記普通遊技が行われている間」に含まれる時間である点で一致する。
（イ）引用発明１の構成ｉの「第２変動ゲームにおいて」「当選」する「第２大入賞口４１の」「１回」の「開放回数」の「１．６ｓ」の「開放時間」を含む「小当り遊技」の時間は、本願補正発明の構成Ｉの「特別遊技」の時間に相当する。
（ウ）引用発明１の構成ｉの「第２変動ゲームと普図ゲームとは同時に実行可能であ」ることと、本願補正発明の構成Ｉの「前記普通判定手段による判定の結果に応じ、１回の前記普通遊技が行われている間に、前記特別遊技を複数回行うことが可能」なこととは、「前記普通判定手段による判定の結果に応じ、」「前記普通遊技が行われている間に、前記特別遊技を」「行うことが可能である」点で一致する。
コ　本願補正発明の構成Ｊについて
　引用発明１の構成ｊの「パチンコ遊技機１０」は、本願補正発明の「遊技機」に相当する。
　以上のことから、本願補正発明と引用発明１とは、以下の点で一致する。
＜一致点＞
Ａ　遊技球が流下する遊技領域に設けられ、遊技球が入球可能な複数の始動領域と、
Ｂ　前記始動領域への遊技球の入球により判定情報を取得する判定情報取得手段と、
Ｃ’　前記判定情報取得手段により取得された前記判定情報に基づいて、前記遊技領域の下方位置に設けられた特別可変入賞装置が所定の態様で開閉する特別遊技を行うか否かを判定する特別遊技判定手段と、
Ｄ　前記複数の始動領域のうち、一方への遊技球の入球が不可能若しくは困難な第１の態様、およびこの第１の態様よりも遊技球の入球が容易な第２の態様に変位する可変入賞装置と、
Ｅ　前記遊技領域に設けられ、遊技球が通過可能な普通始動領域と、
Ｆ　前記普通始動領域への遊技球の通過により普通判定情報を取得する普通判定情報取得手段と、
Ｇ　前記普通判定情報取得手段により取得された前記普通判定情報に基づいて、前記可変入賞装置を前記第１の態様から前記第２の態様に変位させる普通遊技を行うか否かを判定する普通判定手段と、を備え、
Ｈ　前記特別可変入賞装置は前記可変入賞装置に近接して設けられ、
Ｉ’　前記普通判定手段による判定の結果に応じ、前記普通遊技が行われている間に、前記特別遊技を行うことが可能である
Ｊ　遊技機。
　そして、両者は、以下の点で相違する。
＜相違点１＞　（構成Ｃに関して）
　特別可変入賞装置に関して、本願補正発明は、特別可変入賞装置が「一つの特別可変入賞装置」であるのに対して、引用発明１は、「第１大入賞口４０及び第２大入賞口４１が配設され」ていることから、特別可変入賞装置が一つではない点。
＜相違点２＞　（構成Ｉに関して）
　本願補正発明は、「普通判定手段による判定の結果に応じ、１回の普通遊技が行われている間に、特別遊技を複数回行うことが可能な構成」とされているのに対して、引用発明１は、１回の普通遊技が行われている間に相当する時間が「第２始動入賞口３８の開閉扉３８ｂが３回開放し、」「開放状態を維持」される「開放してから１．７ｓ経過するまで」を含む時間であり、特別遊技の時間が、「第２変動ゲームにおいて」「当選」する「第２大入賞口４１の」「１回」の「開放回数」の「１．６ｓ」の「開放時間」を含む「小当り遊技」の時間であり、２回の「小当り遊技」を行う場合には、１回目の「小当り遊技」の時間と、２回目の「小当り遊技」の前に行われる「第２変動ゲーム」の時間と、２回目の「小当り遊技」の時間を合計した時間が必要である点までは特定できるものの、１回の普通遊技が行われている間に、特別遊技を複数回行うことが可能であるか否かは不明である点。
（２−４）　当審の判断
ア　相違点についての検討
（ア）　相違点１について
　上記（２−２）ア（ア）の引１−スに示した引用文献１の段落【０１８１】には、以下の記載がある。
「上記実施形態において、２つの大入賞口４０，４１を備えたが、これに限らず、１つ又は３つ以上の大入賞口を備えてもよい。」
　してみると、引用発明１は、開閉扉３８ｂを備えた第２始動入賞口３８に近接して、大入賞口として、２つの大入賞口４０，４１を備えているが、引用文献１には、それらの大入賞口を１つとすることが示唆されていると認められ、引用発明１において、引用文献１の上記の記載を参酌し、大入賞口を１つとし、本願補正発明の上記相違点１に係る構成とすることは、当業者が容易に想到し得ることである。
（イ）　相違点２について
　本願補正発明の上記相違点２に係る構成と、上記（２−２）イ（イ）に示した引用文献２記載事項とを対比すると、引用文献２記載事項は、「普通図柄判定の結果」「長開放当たりになった場合には、」「第２始動口１２の開放時間は約５．８秒」「であるため、この期間に、第２特別図柄の変動および小当たり遊技が、１回〜２回行われることが可能である」ものであり、引用文献２記載事項における「普通図柄判定の結果」は、上記相違点２に係る構成の「普通判定手段による判定の結果」に相当し、引用文献２記載事項における「第２始動口１２の開放時間」である「約５．８秒」は、上記相違点２に係る構成の「１回の普通遊技が行われている間」の一部に相当し、引用文献２記載事項における「小当たり遊技が、」「２回行われることが可能である」ことは、上記相違点２に係る構成の「１回の前記普通遊技が行われている間に、前記特別遊技を複数回行うことが可能」なことに相当する。 
　してみると、引用文献２記載事項は、本願補正発明の上記相違点２に係る構成を全て有するものと認められる。 
  
　引用発明１と引用文献２記載事項は、いずれも、遊技球が入賞可能な開状態と入賞不可能な閉状態とに切り換え可能な始動入賞口を用いることにより、始動入賞口の開放時間が異なる複数種類の普通遊技を行うものであり、かつ、小当り判定の判定結果が肯定の場合に大入賞口が開放可能となる小当り遊技を行う遊技機という点で技術分野が共通している。 
　また、引用発明１と引用文献２記載事項は、ともに、興趣性の向上という共通の課題を有するものであることは明らかである。 
　そして、引用発明１は、構成ｉにおいて特定されているように、「変短状態」が、「非変短状態と比較して、１回の普通当りに対応する合計開放時間が長く、遊技者にとって有利に動作するように設定され」たものであることを勘案すると、引用発明１においても、相対的に１回の普通遊技を長くするという技術思想が内在していると認められる。
　してみると、引用発明１において、相対的に１回の普通遊技を長くするという技術思想を具現化するために、普通遊技の時間と、特別遊技を１回行うことが可能な時間の長さに関して、引用文献２記載事項を適用し、１回の普通遊技が行われている間に、特別遊技を複数回行うことが可能な構成とすることは、当業者が容易に想到し得ることである。
イ　本願補正発明の奏する作用効果
　本願補正発明によって奏される効果は、引用文献１及び引用文献２に記載された事項から、当業者が予測し得る程度のものである。
ウ　請求人の主張への反論
（ア）　請求人の主張
　請求人は、令和２年６月１５日に提出された意見書において、
「引用文献１には、段落００４３、００４４に、大当たり遊技では、第１大入賞口４０が開放され、小当たり遊技では、第２大入賞口４１が開放されることが記載されています。
　そして、第２図には、第１大入賞口４０の上部に第２大入賞口４１を別々に設けた構成が開示されています。
　したがいまして、補正後の本願発明と引用文献１に記載された発明（引用発明１）を対比すると、先の拒絶理由通知で挙げられた相違点の他に、本願発明は特別可変入賞装置は１つであるのに対し、引用発明１は特別可変入賞装置は２つであるという相違点２が少なくとも存在します。
　そしてこの相違点２に係る構成が意味することは、本願発明は大当たり遊技も小当たり遊技も１つの特別可変入賞装置で行うのに対し、引用発明１は、大当たり遊技は第１大入賞口４０で行い、小当たり遊技は第２大入賞口４１で行い、当たりの種類により大入賞口を変えて行うということです。引用発明１の第１大入賞口４０と第２大入賞口４１は構造上異なっており、また役割が違うため設置場所も異なるため、１つにすることは困難と思料されます。」
と主張している。
（イ）　請求人の主張に対する反論
　しかしながら、引用発明１は、第１大入賞口４０、第２大入賞口４１のいずれも、遊技領域Ｈ１の下方位置であって、開閉扉３８ｂを備えた第２始動入賞口３８に近接した部位に設けられており、上記ア（ア）において指摘したように、引用文献１には、「上記実施形態において、２つの大入賞口４０，４１を備えたが、これに限らず、１つ又は３つ以上の大入賞口を備えてもよい。」と記載されていることを勘案すれば、第１大入賞口４０と第２大入賞口４１を１つにすることが困難であるとはいえず、また、そのように大入賞口を１つにする際に、それらの機能及び役割を１つにし、遊技性を考慮して、大当たり遊技も小当たり遊技も１つの大入賞口で行われるようにすることは、当業者であれば、容易に想到し得ることであると認められる。
　したがって、請求人の上記の主張は採用できない。
（２−５）　小括
　
　よって、本願補正発明は、引用発明１、引用文献１に記載された事項、及び、引用文献２記載事項に基づいて当業者が容易に発明をすることができたものであるから、特許法第２９条第２項の規定により特許出願の際独立して特許を受けることができないものである。
（３）　むすび
　以上のことから、本件補正は、特許法第１７条の２第６項で準用する同法第１２６条第７項の規定に違反するものである。
　したがって、本件補正は、特許法第１５９条第１項において読み替えて準用する同法第５３条第１項の規定により却下されるべきものである。
第３　本願発明について
１　本願発明
　令和２年６月１５日提出の手続補正書による補正は、上記のとおり却下されたので、本願の請求項１に係る発明は、同年２月２５日になされた手続補正により補正された特許請求の範囲の請求項１に記載されたとおりのもの（上記第２［理由］１の（補正前）の記載を参照）（以下「本願発明」という。）であり、分説してＡないしＪの符号を付与すると、以下のとおりである。
「Ａ　遊技球が流下する遊技領域に設けられ、遊技球が入球可能な始動領域と、 
Ｂ　前記始動領域への遊技球の入球により判定情報を取得する判定情報取得手段と、 
Ｃ　前記判定情報取得手段により取得された前記判定情報に基づいて、前記遊技領域の下方位置に設けられた特別可変入賞装置が所定の態様で開閉する特別遊技を行うか否かを判定する特別遊技判定手段と、 
Ｄ　前記始動領域への遊技球の入球が不可能若しくは困難な第１の態様、およびこの第１の態様よりも遊技球の入球が容易な第２の態様に変位する可変入賞装置と、 
Ｅ　前記遊技領域に設けられ、遊技球が通過可能な普通始動領域と、 
Ｆ　前記普通始動領域への遊技球の通過により普通判定情報を取得する普通判定情報取得手段と、 
Ｇ　前記普通判定情報取得手段により取得された前記普通判定情報に基づいて、前記可変入賞装置を前記第１の態様から前記第２の態様に変位させる普通遊技を行うか否かを判定する普通判定手段と、を備え、 
Ｈ　前記特別可変入賞装置は前記可変入賞装置に近接して設けられ、 
Ｉ　前記普通判定手段による判定の結果に応じ、１回の前記普通遊技が行われている間に、前記特別遊技を複数回行うことが可能な構成とした 
Ｊ　ことを特徴とする遊技機。」
２　令和２年５月１９日付け拒絶理由通知における拒絶の理由
　令和２年５月１９日付け拒絶理由通知における拒絶の理由の概要は以下のとおりである。
　本願の請求項１に係る発明は、本願の出願前に日本国内又は外国において頒布された又は電気通信回線を通じて公衆に利用可能となった下記の引用文献１及び引用文献２に記載された事項に基いて、本願の出願前にその発明の属する技術の分野における通常の知識を有する者が容易に発明をすることができたものであるから、特許法第２９条第２項の規定により特許を受けることができない。
引用文献１：特開２０１４−６８７２９号公報
引用文献２：特開２０１５−２００１９号公報
３　引用文献とそれに記載された事項
　上記拒絶理由通知の拒絶の理由で引用された引用文献１及び引用文献２は、それぞれ上記第２における引用文献１及び引用文献２に対応し、その記載事項は、上記第２［理由］２（２）（２−２）ア及びイに記載したとおりである。
４　対比・判断
　本願発明は、前記第２の［理由］２で検討した本願補正発明から、「遊技球が入球可能な複数の始動領域」について、「複数の」とした限定事項（本願補正発明のＡの構成の一部）を削除し、「前記遊技領域の下方位置に設けられた１つの特別可変入賞装置」について、「１つの」との限定事項（本願補正発明のＣの構成の一部）を削除し、「前記複数の始動領域のうち、一方への遊技球の入球」について、「複数の」及び「のうち、一方」との限定事項（本願補正発明のＤの構成の一部）を削除したものである。 
　そうすると、本願発明の発明特定事項を全て含み、さらに他の事項を付加したものに相当する本願補正発明が、前記第２の［理由］２（２）及び（３）に記載したとおり、引用発明１、引用文献１に記載された事項、及び、引用文献２記載事項に基いて、当業者が容易に発明をすることができたものであるから、本願発明も、引用発明１、引用文献１に記載された事項、及び、引用文献２記載事項に基いて、当業者が容易に発明をすることができたものである。
第４　むすび
　以上のとおりであるから、本願発明は、特許法第２９条第２項の規定により特許を受けることができないから、本願は拒絶されるべきものである。
　よって、結論のとおり審決する。